(57)【特許請求の範囲】
【請求項１】
映像を表示する表示手段と、前記表示手段の背面側に配され光源となる発光手段と、前記表示手段で表示される映像を他方向へ反射する反射手段と、前記反射手段の背面側に配され前記発光手段に電圧を供給するインバータ手段と、前記発光手段を実装し前記表示手段の背面側に配された片面パターンプリント基板からなる第１のプリント基板と、前記インバータ手段を実装し前記反射手段の反射面の裏面に沿わせて配された片面パターンプリント基板からなる第２のプリント基板と、前記第１のプリント基板と前記第２のプリント基板とを接続するフレキシブルプリント基板とを備え、前記フレキシブルプリント基板は前記インバータ手段の上部側に配されたことを特徴とするビューファインダー装置。
【請求項２】
映像を表示する表示手段と、前記表示手段の背面側に配され光源となる発光手段と、前記表示手段で表示される映像を他方向へ反射する反射手段と、前記反射手段の背面側に配され前記発光手段に電圧を供給するインバータ手段と、前記発光手段を実装し前記表示手段の背面側に配された片面パターンプリント基板からなる第１のプリント基板と、前記インバータ手段を実装し前記反射手段の反射面の裏面に沿わせて配された片面パターンプリント基板よりなる第２のプリント基板と、前記第１のプリント基板と前記第２のプリント基板とを接続するフレキシブルプリント基板とを備え、前記フレキシブルプリント基板は前記第２のプリント基板と前記反射手段との間に配されたことを特徴とするビューファインダー装置。
【発明の詳細な説明】
【０００１】
【発明の属する技術分野】
本発明は、カメラ一体型ＶＴＲに搭載するエレクトロニック・ビュー・ファインダー（以下、ＥＶＦと記す）で使用して有効なビューファインダー装置に関するものである。
【０００２】
【従来の技術】
近年、カメラ一体型ＶＴＲは小型化が進み、その中の構成要素であるカラーＥＶＦについても、小型化が必要とされている。
【０００３】
カラーＥＶＦ部を小型にするためには、プリント基板が占める面積を少なくする必要があり、両面パターン配線プリント基板や多層パターン配線プリント基板、フレキシブルプリント基板の採用が多く見られる。そのため、プリント基板にかかるコストが、高額になるという課題がある。
【０００４】
以下に従来のビューファインダー装置について説明する。
図３は従来のビューファインダー装置の構成を示す断面図、図４は従来のビューファインダー装置に使用されるプリント基板の構成を示す斜視図である。図において、２８はＥＶＦ本体、２１は撮影中の映像や磁気テープを再生した時の映像を表示する液晶パネル、２２は液晶パネル２１の背面側に設けられ発光する平面発光型蛍光管、２３は平面発光型蛍光管２２を点灯するのに必要な高電圧を発生するインバータ手段の一つである磁束トランス、２４ａは平面発光型蛍光管２２が実装された両面パターンプリント基板よりなる第１のプリント基板、２４ｂは磁束トランス２３が実装された両面パターンプリント基板よりなる第２のプリント基板、２９は第１及び第２のプリント基板２４ａ及び２４ｂを接続するフレキシブルプリント基板であり、その両端が予め第１及び第２のプリント基板２４ａ及び２４ｂに半田で接続されている。２５は液晶パネル２１に表示された映像をアイキャップ側へ反射させる反射物で、通常は鏡が用いられる。２６は反射物２５で反射された映像を拡大するレンズ、２７はＥＶＦ本体２８の一端側に装着されたアイキャップで、その外側から使用者が覗き込むことにより映像を目視することができる。
【０００５】
以上のように構成された従来のビューファインダー装置について、以下その動作について説明する、
まず、図４に示すように、両面パターンプリント基板よりなる第１のプリント基板２４ａの裏面側に平面発光型蛍光管２２を実装する。さらに、第２のプリント基板２４ｂの表面側に磁束トランス２３を実装する。このように、第１及び第２のプリント基板２４ａ及び２４ｂは各々両面パターンプリント基板よりなるが、平面発光型蛍光管２２と磁束トランス２３とは逆の面に実装される。
【０００６】
図４に示すプリント基板を、図３に示すように配置する。つまり、第１のプリント基板２４ａを液晶パネル２１の背面側に配置させ、平面発光型蛍光管２２を液晶パネル２１の光源にする。そして第２のプリント基板２４ｂは反射物２５の裏面側に配置させる。この時、フレキシブルプリント基板２９は液晶パネル２１の横の隙間に配される。
【０００７】
このようにしてできたビューファインダー装置は、液晶パネル２１に表示された映像が、平面発光型蛍光管２２の点灯により反射物２５に反射して、レンズで拡大され、その拡大された映像をアイキャップ２７の外側から目視することができる。
【０００８】
【発明が解決しようとする課題】
しかしながら上記従来の構成では、第１及び第２のプリント基板２４ａ及び２４ｂに両面パターンプリント基板を使用しているため、コストが高額になるという課題があった。
【０００９】
本発明は上記従来の問題点を解決するもので、インバータ回路の磁束トランスやその他の部品を実装した部分を、フレキ部分より、折り返して使用することで、平面発光型蛍光管とインバータ回路の磁束トランスやその他の部品を実装するプリント基板を片面パターン配線プリント基板で実現し、プリント基板のコストの低減をはかることができるビューファインダー装置を提供することを目的とする。
【００１０】
【課題を解決するための手段】
この目的を達成するために本発明のビューファインダー装置は、映像を表示する表示手段と、前記表示手段の背面側に配され光源となる発光手段と、前記表示手段で表示される映像を他方向へ反射する反射手段と、前記反射手段の背面側に配され前記発光手段に電圧を供給するインバータ手段と、前記発光手段を実装し前記表示手段の背面側に配された片面パターンプリント基板からなる第１のプリント基板と、前記インバータ手段を実装し前記反射手段の反射面の裏面に沿わせて配された片面パターンプリント基板からなる第２のプリント基板と、前記第１のプリント基板と前記第２のプリント基板とを接続するフレキシブルプリント基板とを備え、前記フレキシブルプリント基板は前記インバータ手段の上部側に配されたものである。
【００１１】
そしてこのような構成により、インバータ回路の磁束トランスやその他の部品を実装した部分を、フレキ部分より、折り返して使用することで、平面発光型蛍光管とインバータ回路の磁束トランスやその他の部品を実装するプリント基板を片面パターン配線プリント基板で実現し、プリント基板のコストの低減をはかることができるビューファインダー装置が得られる。
【００１２】
また本発明は、映像を表示する表示手段と、前記表示手段の背面側に配され光源となる発光手段と、前記表示手段で表示される映像を他方向へ反射する反射手段と、前記反射手段の背面側に配され前記発光手段に電圧を供給するインバータ手段と、前記発光手段を実装し前記表示手段の背面側に配された片面パターンプリント基板からなる第１のプリント基板と、前記インバータ手段を実装し前記反射手段の反射面の裏面に沿わせて配された片面パターンプリント基板よりなる第２のプリント基板と、前記第１のプリント基板と前記第２のプリント基板とを接続するフレキシブルプリント基板とを備え、前記フレキシブルプリント基板は前記第２のプリント基板と前記反射手段との間に配されたものである。
【００１３】
そしてこのような構成により、インバータ回路の磁束トランスやその他の部品を実装した部分を、フレキ部分より、折り返して使用することで、平面発光型蛍光管とインバータ回路の磁束トランスやその他の部品を実装するプリント基板を片面パターン配線プリント基板で実現し、プリント基板のコストの低減をはかることができるビューファインダー装置が得られる。
【００１４】
【発明の実施の形態】
本発明の請求項１に記載の発明は、映像を表示する表示手段と、前記表示手段の背面側に配され光源となる発光手段と、前記表示手段で表示される映像を他方向へ反射する反射手段と、前記反射手段の背面側に配され前記発光手段に電圧を供給するインバータ手段と、前記発光手段を実装し前記表示手段の背面側に配された片面パターンプリント基板からなる第１のプリント基板と、前記インバータ手段を実装し前記反射手段の反射面の裏面に沿わせて配された片面パターンプリント基板からなる第２のプリント基板と、前記第１のプリント基板と前記第２のプリント基板とを接続するフレキシブルプリント基板とを備え、前記フレキシブルプリント基板は前記インバータ手段の上部側に配されたものであり、そしてこのような構成により、インバータ回路の磁束トランスやその他の部品を実装した部分を、フレキ部分より、折り返して使用することで、平面発光型蛍光管とインバータ回路の磁束トランスやその他の部品を実装するプリント基板を片面パターン配線プリント基板で実現し、プリント基板のコストの低減をはかることができるビューファインダー装置が得られる。
【００１５】
また請求項２に記載の発明は、映像を表示する表示手段と、前記表示手段の背面側に配され光源となる発光手段と、前記表示手段で表示される映像を他方向へ反射する反射手段と、前記反射手段の背面側に配され前記発光手段に電圧を供給するインバータ手段と、前記発光手段を実装し前記表示手段の背面側に配された片面パターンプリント基板からなる第１のプリント基板と、前記インバータ手段を実装し前記反射手段の反射面の裏面に沿わせて配された片面パターンプリント基板よりなる第２のプリント基板と、前記第１のプリント基板と前記第２のプリント基板とを接続するフレキシブルプリント基板とを備え、前記フレキシブルプリント基板は前記第２のプリント基板と前記反射手段との間に配されたものであり、そしてこのような構成により、インバータ回路の磁束トランスやその他の部品を実装した部分を、フレキ部分より、折り返して使用することで、平面発光型蛍光管とインバータ回路の磁束トランスやその他の部品を実装するプリント基板を片面パターン配線プリント基板で実現し、プリント基板のコストの低減をはかることができるビューファインダー装置が得られる。
【００１６】
以下、本発明の実施の形態について、図面を用いて説明する。
（実施の形態１）
図１は本実施の形態のビューファインダー装置の構成を示す断面図、図２は動実施の形態に使用されるプリント基板の構成を示す斜視図である。図１において、１０はＥＶＦ本体、１１は撮影中の映像や磁気テープを再生した時の映像を表示する表示手段である液晶パネル、１２は液晶パネル１１の背面側に設けられ発光する発光手段である平面発光型蛍光管、１４は平面発光型蛍光管１２を点灯するのに必要な高電圧を発生するインバータ手段の一つである磁束トランス、１３は平面発光型蛍光管１２が実装された片面パターンプリント基板よりなる第１のプリント基板、１５は磁束トランス１４が実装された片面パターンプリント基板よりなる第２のプリント基板、１７は第１及び第２のプリント基板１３及び１５を接続するフレキシブルプリント基板であり、その両端が予め第１及び第２のプリント基板１３及び１５に半田で接続されている。１６は液晶パネル１１に表示された映像をアイキャップ側へ反射させる反射手段である反射物で、通常は鏡が用いられる。１９は反射物１６で反射された映像を拡大するレンズ、２０はＥＶＦ本体１０の一端側に装着されたアイキャップで、その外側から使用者が覗き込むことにより映像を目視することができる。
【００１７】
以上のように構成された本実施の形態のビューファインダー装置について、以下その動作について説明する、
まず、図２に示すように、片面パターンプリント基板よりなる第１のプリント基板１３に平面発光型蛍光管１２を実装する。さらに、第２のプリント基板１５に磁束トランス１４を実装する。このように、第１及び第２のプリント基板１３及び１５は各々片面パターンプリント基板よりなり、平面発光型蛍光管１２と磁束トランス１４は同一側の面に実装される。
【００１８】
図２に示すプリント基板を、図１に示すように配置する。つまり、第１のプリント基板１３を液晶パネル１１の背面側に配置させ、平面発光型蛍光管１２を液晶パネル１１の光源にする。そして第２のプリント基板１５は反射物１６の裏面側に配置させる。この時、フレキシブルプリント基板１７は液晶パネル１１の横の隙間を通じて、磁束トランス１４の上部側を回り込んで配される。
【００１９】
このようにしてできたビューファインダー装置は、液晶パネル１１に表示された映像が、平面発光型蛍光管１２の点灯により反射物１６に反射して、レンズ１９で拡大され、その拡大された映像をアイキャップ２０の外側から目視することができる。
【００２０】
以上のように本実施の形態によれば、インバータ回路の磁束トランス１４が実装された第２のプリント基板１５を、鏡等の反射物１６の、映像を反射する面と反対面側に配置し、フレキシブルプリント基板１７が、磁束トランス１４の上を通過するように配置したことにより、第１及び第２のプリント基板１３及び１５を片面パターンプリント基板で構成することができるので、コストダウンすることができる。
【００２１】
なお、本実施の形態においてフレキシブルプリント基板１７を磁束トランス１４の上部を通過させるよう配置したが、図１の点線に示すフレキシブルプリント基板１８にて示すように、第２のプリント基板１５と反射物１６との間を通して配置させてもよい。
【００２２】
【発明の効果】
以上のように本発明は、平面発光型蛍光管とインバータ回路の磁束トランスやその他の部品を実装するプリント基板に関して、従来使用していた両面パターン配線プリント基板により、コストが高額になるという課題を、片面パターン配線プリント基板を使用することで解決し、プリント基板のコスト低減がはかれる。
【図面の簡単な説明】
【図１】本発明の実施の形態１におけるビューファインダー装置の構成を示す断面図
【図２】本発明の実施の形態１のビューファインダー装置におけるプリント基板の構成を示す斜視図
【図３】従来のビューファインダー装置の構成を示す断面図
【図４】従来のビューファインダー装置におけるプリント基板の構成を示す斜視図
【符号の説明】
１１  液晶パネル
１２  平面発光型蛍光管
１３  第１のプリント基板
１４  磁束トランス
１５  第２のプリント基板
１６  反射物
１７  フレキシブルプリント基板
１８  フレキシブルプリント基板
【図１】
0003702647.tif 000002
【図２】
0003702647.tif 000003
【図３】
0003702647.tif 000004
【図４】
0003702647.tif 000005